(57)【要約】  太陽電池モジュールの発電素子に対する受光面側封止シートと裏面側封止シートとからなる一対の太陽電池封止シートであって、前記裏面側封止シートの示差走査型熱量測定（ＤＳＣ）に基づく融解ピーク温度が、前記受光面側封止シートの示差走査型熱量測定（ＤＳＣ）に基づく融解ピーク温度よりも高い事を特徴とする、裏面側封止材の回り込みを低減した太陽電池封止シート；並びに、この太陽電池封止シートの受光面側封止シート及び裏面側封止シートを用いた太陽電池モジュール及びその製造方法が開示される。【特許請求の範囲】
【請求項１】
太陽電池モジュールの発電素子に対する受光面側封止シートと裏面側封止シートとからなる一対の太陽電池封止シートであって、
前記裏面側封止シートの示差走査型熱量測定（ＤＳＣ）に基づく融解ピーク温度が、前記受光面側封止シートの示差走査型熱量測定（ＤＳＣ）に基づく融解ピーク温度よりも高い事を特徴とする太陽電池封止シート。
【請求項２】
裏面側封止シートのＤＳＣに基づく融解ピーク温度が９０℃以上であり、受光面側封止シートのＤＳＣに基づく融解ピーク温度が９０℃未満である請求項１記載の太陽電池封止シート。
【請求項３】
裏面側封止シートが、ＡＳＴＭ  Ｄ１５０５に準拠して測定される密度が９００〜９４０ｋｇ／ｍ3、ＤＳＣに基づく融解ピーク温度が９０〜１２５℃であるエチレン・α−オレフィン共重合体をエチレン性不飽和シラン化合物により変性して得られるエチレン系重合体と、着色剤とを含む請求項１記載の太陽電池封止シート。
【請求項４】
エチレン・α−オレフィン共重合体のエチレンに由来する構成単位の含有割合が９０〜９８ｍｏｌ％であり、α−オレフィンに由来する構成単位の含有割合が２〜１０ｍｏｌ％である請求項３記載の太陽電池封止シート。
【請求項５】
受光面側封止シートが、１）ＡＳＴＭ  Ｄ１５０５に準拠して測定される密度が８６０〜９００ｋｇ／ｍ3未満であり、ＤＳＣに基づく融解ピーク温度が９０℃未満であるエチレン系重合体、又は、２）酢酸ビニル含量が１０〜４７質量％であり、ＤＳＣに基づく融解ピーク温度が９０℃未満であるエチレン−酢酸ビニル共重合体、を含む請求項１記載の太陽電池封止シート。
【請求項６】
１）のエチレン系重合体が、以下の要件ａ１）〜ａ４）の何れか又は全てを満たすエチレン・α−オレフィン共重合体である請求項５記載の太陽電池封止シート。
ａ１）エチレンに由来する構成単位の含有割合が８０〜９０ｍｏｌ％、炭素原子数３〜２０のα−オレフィン（例えばプロピレン、ブテン、ペンテン等）に由来する構成単位の含有割合が１０〜２０ｍｏｌ％である。
ａ２）ＡＳＴＭ  Ｄ１２３８に準拠し、１９０℃、２.１６ｋｇ荷重の条件で測定されるメルトフローレート（ＭＦＲ）が１０〜５０ｇ／１０分である。
ａ３）ＡＳＴＭ  Ｄ１５０５に準拠して測定される密度が０.８６５〜０.８８４ｇ／ｃｍ３である。
ａ４）ＡＳＴＭ  Ｄ２２４０に準拠して測定されるショアＡ硬度が６０〜８５である。
【請求項７】
２）のエチレン−酢酸ビニル共重合体のＡＳＴＭ  Ｄ１２３８に準拠し、１９０℃、２.１６ｋｇ荷重の条件で測定されるメルトフローレート（ＭＦＲ）が、１０〜３５ｇ／１０分である請求項５記載の太陽電池封止シート。
【請求項８】
受光側保護部材と、受光面側封止シートと、発電素子と、裏面側封止シートと、裏面側保護部材とをこの順に積層してなる太陽電池モジュールであって、
前記受光面側封止シート及び前記裏面側封止シートが、請求項１記載の太陽電池封止シートの受光面側封止シート及び裏面側封止シートである事を特徴とする太陽電池モジュール。
【請求項９】
受光側保護部材と、受光面側封止シートと、発電素子と、裏面側封止シートと、裏面側保護部材とをこの順に重ねて、加熱圧着して積層体を得る工程を有する太陽電池モジュールの製造方法であって、
前記受光面側封止シート及び前記裏面側封止シートが、請求項１記載の太陽電池封止シートの受光面側封止シート及び裏面側封止シートである事を特徴とする太陽電池モジュールの製造方法。
【発明の詳細な説明】
【技術分野】
【０００１】
本発明は、太陽電池封止シート、並びに太陽電池モジュール及びその製造方法に関する。
【背景技術】
【０００２】
従来より、太陽電池の発電効率向上の為に、入射した光をできるだけ効率良く太陽電池用発電素子に集光することが求められている。したがって、受光面側（表面側）の封止材は、できるだけ高い透明性を有し、入射した光を吸収したり反射したりすること無く透過させるものが望ましい。【０００３】
一方、裏面側（受光面の反対側）の封止材としては、二酸化チタン等の白色着色剤を配合し、裏面と受光面との界面における光の反射や着色剤による光の乱反射によって、複数の太陽電池用素子の間に入射した光や太陽電池用素子を透過した光を反射させ、光の利用効率を高める封止材料が開発されている（例えば特許文献１〜３）。【０００４】
一般に太陽電池モジュールは、受光面側透明保護部材、受光面側封止材、太陽電池セル、裏面側封止材及び裏面側保護部材（バックシート）をこの順で積層した積層体を、減圧下で脱気し、加熱加圧して接着一体化することにより製造されている。この工程において、溶融した裏面側封止材が流動し、積層体の側面や太陽電池用セル間の隙間から受光面側に回り込み、太陽電池用セルと受光面側封止材との間に侵入する場合がある。特に裏面側封止材が着色した材料からなる場合は、この裏面側封止材の回り込みによって発電効率の低下や外観不良が起こる場合がある。さらには、積層体を接着して一体化するラミネート工程において、裏面側封止材が枠からはみ出してラミネート装置を汚すこともある。【０００５】
特許文献１では、１４ｇ／１０ｍｉｎ以下のメルトフローレートを有する封止膜が提案されている。また特許文献２では、着色した裏面側封止膜のエチレン−酢酸ビニル共重合体（ＥＶＡ）の酢酸ビニル含有量よりも、透明な受光面側封止膜のＥＶＡの酢酸ビニル含有量を高くした太陽電池が提案されている。また特許文献３では着色した裏面側封止膜のＥＶＡのメルトフローレートよりも、透明な受光面側封止膜のＥＶＡのメルトフローレートを高くした太陽電池が提案されている。また特許文献４では、太陽電池用セルと着色した裏面側封止材との間に、さらに透明な封止材層を設ける事により着色した裏面側封止材の回り込みを防止している。【０００６】
しかしながら、特許文献１〜３の方法では、製造工程における加熱加圧条件によっては、上記の現象を防止できない場合がある。また特許文献４の方法では、裏面側封止材として透明層と着色層の２層を設ける必要があり、製造負荷やコスト増を招いてしまう。
【先行技術文献】
【特許文献】
【０００７】
【特許文献１】特開平６−１７７４１２号公報
【特許文献２】特開２００３−２５８２８３号公報
【特許文献３】特開２００５−０５０９２８号公報
【特許文献４】特開２０１１−２１６８０４号公報
【発明の概要】
【発明が解決しようとする課題】
【０００８】
本発明は上記の課題を鑑みてなされたものであって、裏面側封止材の回り込みを低減した太陽電池封止シート、並びにこの封止シートを用いた太陽電池モジュール及びその製造方法を提供することを目的とする。
【課題を解決するための手段】
【０００９】
本発明は、太陽電池モジュールの発電素子に対する受光面側封止シートと裏面側封止シートとからなる一対の太陽電池封止シートであって、前記裏面側封止シートの示差走査型熱量測定（ＤＳＣ）に基づく融解ピーク温度が、前記受光面側封止シートの示差走査型熱量測定（ＤＳＣ）に基づく融解ピーク温度よりも高い事を特徴とする太陽電池封止シートである。【００１０】
また本発明は、受光側保護部材と、受光面側封止シートと、発電素子と、裏面側封止シートと、裏面側保護部材とをこの順に積層してなる太陽電池モジュールであって、前記受光面側封止シート及び前記裏面側封止シートが、本発明の太陽電池封止シートの受光面側封止シート及び裏面側封止シートである事を特徴とする太陽電池モジュールである。【００１１】
また本発明は、受光側保護部材と、受光面側封止シートと、発電素子と、裏面側封止シートと、裏面側保護部材とをこの順に重ねて、加熱圧着して積層体を得る工程を有する太陽電池モジュールの製造方法であって、前記受光面側封止シート及び前記裏面側封止シートが、本発明の太陽電池封止シートの受光面側封止シート及び裏面側封止シートである事を特徴とする太陽電池モジュールの製造方法である。
【発明の効果】
【００１２】
本発明の受光面側及び裏面側に用いられる一対の太陽電池封止シートによれば、ラミネート時において裏面側封止シートが受光側封止シートよりも溶融流動しにくいので、ラミネート時における回り込みが回避でき、その結果、発電効率の低下や外観不良を防止できる。【００１３】
本発明の太陽電池モジュールは、そのような発電効率の低下や外観不良が防止された太陽電池モジュールである。また、本発明の太陽電池モジュールの製造方法は、そのような優れた太陽電池モジュールを簡易且つ効率的に製造できる方法である。
【発明を実施するための形態】
【００１４】
本発明の太陽電池封止シートは、発電素子に対して受光面側に用いられる封止シート（受光面側封止シート）と、裏面側に用いられる封止シート（裏面側封止シート）とからなる一対の封止シートである。そして裏面側封止シートの示差走査型熱量測定（ＤＳＣ）に基づく融解ピーク温度は、受光面側封止シートのＤＳＣに基づく融解ピーク温度よりも高い。これにより、ラミネート時において裏面側封止シートが受光側封止シートよりも溶融流動しにくくなる。
【００１５】
受光面側封止シートのＤＳＣに基づく融解ピーク温度は好ましくは９０℃未満、より好ましくは８０℃以下ないしピークが実質的に観測されない範囲、特に好ましくは７５℃以下ないしピークが実質的に観測されない範囲である。裏面側封止シートのＤＳＣに基づく融解ピーク温度は好ましくは９０℃以上、より好ましくは９０℃〜１２５℃、特に好ましくは９０℃〜１１５℃である。このＤＳＣに基づく融解ピーク温度とは、後述する実施例に記載の様な条件で示差走査型熱量測定により吸熱曲線を求め、その溶融ピークの頂点の温度である。なお、複数のピークが検出される場合は、最も高温側で検出されるピークを融解ピーク温度とする。
【００１６】
受光面側封止シートを構成する樹脂成分は特に限定されず、上述の融解ピーク温度の関係を満たすものであればよい。例えばエチレン単独重合体、エチレンと他のモノマー（例えばα−オレフィンや酢酸ビニル）との共重合体等のエチレン系重合体を使用できる。特に、
１）ＡＳＴＭ  Ｄ１５０５に準拠して測定される密度が８６０〜９００ｋｇ／ｍ3未満であり、ＤＳＣに基づく融解ピーク温度が９０℃未満であるエチレン系重合体、
２）酢酸ビニル含量が１０〜４７質量％であり、ＤＳＣに基づく融解ピーク温度が９０℃未満であるエチレン−酢酸ビニル共重合体、が好ましい。
【００１７】
上記１）のエチレン系重合体としては、さらに以下の要件ａ１）〜ａ４）の何れか又は全てを満たすエチレン・α−オレフィン共重合体が好ましい。
ａ１）エチレンに由来する構成単位の含有割合が８０〜９０ｍｏｌ％、炭素原子数３〜２０のα−オレフィン（例えばプロピレン、ブテン、ペンテン等）に由来する構成単位の含有割合が１０〜２０ｍｏｌ％である。
ａ２）ＡＳＴＭ  Ｄ１２３８に準拠し、１９０℃、２.１６ｋｇ荷重の条件で測定されるメルトフローレート（ＭＦＲ）が１０〜５０ｇ／１０分である。
ａ３）ＡＳＴＭ  Ｄ１５０５に準拠して測定される密度が０.８６５〜０.８８４ｇ／ｃｍ３である。
ａ４）ＡＳＴＭ  Ｄ２２４０に準拠して測定されるショアＡ硬度が６０〜８５である。
上記ａ２）を満たすエチレン・α−オレフィン共重合体は、例えば押出し成型によって受光面側封止シートに成型することができる。
上記ａ２）の要件を満たさない場合、すなわちＭＦＲが１０〜５０ｇ／１０分の範囲から外れる場合であっても、好ましいエチレン・α−オレフィン共重合体は有る。例えば、以下の要件ａ２'）を満たすエチレン・α−オレフィン共重合体もまた好ましい。
ａ２'）ＡＳＴＭ  Ｄ１２３８に準拠し、１９０℃、２.１６ｋｇ荷重の条件で測定されるメルトフローレート（ＭＦＲ）が１ｇ／１０分以上、１０ｇ／１０分未満（好ましくは２ｇ／１０分以上、１０ｇ／１０分未満）である。
上記ａ２'）を満たすエチレン・α−オレフィン共重合体は、例えばカレンダー成型によって受光面側封止シートに成型することができる。ＭＦＲが１０ｇ／１０分未満であると、ラミネート工程において、裏面側封止材のはみ出しによるラミネート装置の汚れがおきにくい点で好ましい。
【００１８】
上記２）のエチレン−酢酸ビニル共重合体の酢酸ビニル含量は、２０〜３５質量％がより好ましい。また、エチレン−酢酸ビニル共重合体のＡＳＴＭ  Ｄ１２３８に準拠し、１９０℃、２.１６ｋｇ荷重の条件で測定されるＭＦＲは、１０〜３５ｇ／１０分が好ましく、１０〜２５ｇ／１０分がより好ましい。ＭＦＲが上記範囲にあると、押出し成型によって受光面側封止シートに成型することができる。
カレンダー成型によって受光面側封止シートに成型する場合には、エチレン−酢酸ビニル共重合体のＭＦＲは、１ｇ／１０分以上、１０ｇ／１０分未満が好ましく、２ｇ／１０分以上、１０ｇ／１０分未満がより好ましい。ＭＦＲが１０ｇ／１０分未満であると、ラミネート工程において、裏面側封止材のはみ出しによるラミネート装置の汚れがおきにくい点で好ましい。
【００１９】
裏面側封止シートを構成する樹脂成分は特に限定されず、上述の融解ピーク温度の関係を満たすものであればよい。例えば、エチレン・α−オレフィン共重合体をエチレン性不飽和シラン化合物により変性して得られるエチレン系重合体を使用できる。特に、ＡＳＴＭ  Ｄ１５０５に準拠して測定される密度が９００〜９４０ｋｇ／ｍ3、ＤＳＣに基づく融解ピーク温度が９０〜１２５℃であるエチレン・α−オレフィン共重合体をエチレン性不飽和シラン化合物により変性して得られるエチレン系重合体が好ましい。
【００２０】
このエチレン・α−オレフィン共重合体としては、エチレンに由来する構成単位の含有割合が９０〜９８ｍｏｌ％、α−オレフィンに由来する構成単位の含有割合が２〜１０ｍｏｌ％の共重合体が挙げられる。このようなエチレン・α−オレフィン共重合体は、例えばチーグラー触媒又はメタロセン触媒を用いた重合により得られる。α−オレフィンとしては、例えばプロピレン、ブテン、ペンテン等の炭素原子数３〜２０のα−オレフィンが挙げられる。
【００２１】
エチレン・α−オレフィン共重合体を変性するエチレン性不飽和シラン化合物は、特に制限されず、従来より知られるものを使用できる。その具体例としては、ビニルトリエトキシシラン、ビニルトリメトキシシラン、ビニルトリス（β−メトキシエトキシシラン）、γ−グリシドキシプロピルトリメトキシシラン、γ−アミノプロピルトリエトキシシラン、γ−メタクリロキシプロピルトリメトキシシランが挙げられる。特に接着性の点から、γ−グリシドキシプロピルメトキシシラン、γ−アミノプロピルトリエトキシシラン、γ−メタクリロキシプロピルトリメトキシシラン、ビニルトリエトキシシランが好ましい。
【００２２】
裏面側封止シートは、通常は着色剤を含んでいる。この着色剤は無機又は有機微粒子であり、例えば白色、黒色ないし青や赤等に着色するために配合される。炭酸カルシウム、二酸化チタン等の白色着色剤は、入射した光を反射させ、光の利用効率を高めるのに用いられる。同じ白色である水酸化マグネシウムは、難燃剤としても配合できる。またカーボンブラック等の黒色着色剤は、パネルの意匠性を高めるのに用いることもできる。他にウルトラマリンブルー、ウルトラマリンレッドも使用できる。中でも、炭酸カルシウム、硫酸バリウム、酸化亜鉛及び二酸化チタンからなる群より選ばれる白色着色剤が好ましく、特に二酸化チタンが好ましい。着色剤の配合量は、樹脂成分である重合体１００質量部に対して、好ましくは０.１〜１０質量部、より好ましくは０.１〜５質量部である。
【００２３】
本発明における受光面側封止シート及び裏面側封止シートは、以上説明した樹脂成分、又は樹脂成分とその他の成分を含む樹脂組成物をシート状に成形することにより得られる。各成分はそのまま混合しても良い。ただし、裏面側封止シートの場合は通常は着色剤を含むので、着色剤を均一に分散させる点から、まず樹脂成分及び着色剤からなるマスターバッチ（ＭＢ）を作製し、樹脂成分に対してこのＭＢを配合する方法が好ましい。ＭＢ中の着色剤の濃度及びＭＢの配合量は特に制限されない。通常、ＭＢ中の着色剤の濃度は好ましくは２０〜６０質量％である。そして、例えばＭＢ中の着色剤の濃度が５０質量％の場合、重合体１００質量部に対するＭＢの配合量は好ましくは５〜２０質量部である。この樹脂組成物を、後述するように押出成形やカレンダ成形、特に押出成形により加工して樹脂シートを得る事が出来る。
【００２４】
本発明の封止シートは、以上説明した各成分の他に、必要に応じて架橋剤、架橋助剤、接着促進剤、紫外線吸収剤、光安定剤、酸化防止剤等の添加剤が含まれていてもよい。
【００２５】
架橋剤の具体例としては、２,５−ジメチル−２,５−ビス（ｔ−ブチルパーオキシ）ヘキサン、ｔ−ブチルーパーオキシ２−エチルヘキシルカーボネート、１,１−ジ（ｔ−ブチルパーオキシ）シクロヘキサン、ｔ−ブチルーパーオキシ２−エチルヘキサノエート等の有機過酸化物が挙げられる。架橋剤の配合量は、樹脂成分である重合体１００質量部に対して、好ましくは０.１〜１.６質量部、より好ましくは０.６〜０.８質量部である。
【００２６】
架橋助剤の具体例としては、トリアリルイソシアヌレート、トリアリルシアヌレート等のアリル基含有化合物が挙げられる。架橋助剤の配合量は、重合体１００質量部に対して、好ましくは１０質量部以下である。
【００２７】
接着促進剤の具体例としては、ビニルトリエトキシシラン、ビニルトリクロロシラン、ビニルトリス（β−メトキシ−エトキシ）シラン、β−（３，４−エポキシシクロヘキシル）−エチルトリメトキシシラン、γ−グリシドキシプロピル−トリメトキシシラン、γ−アミノプロピルトリエトキシシランが挙げられる。接着促進剤の配合量は、重合体１００質量部に対して、好ましくは５質量部以下である。
【００２８】
紫外線吸収剤の具体例としては、２−ヒドロキシ−４−メトキシベンゾフェノン、２,２−ジヒドロキシ−４−メトキシベンゾフェノン、２−ヒドロキシ−４−メトキシ−２−カルボキシベンゾフェノン、２−ヒドロキシ−４−ｎ−オクトキシベンゾフェノン等のベンゾフェノン系化合物；２−（２−ヒドロキシ−３,５−ジ第３ブチルフェニル）ベンゾトリアゾール、２−（２−ヒドロキシ−５−メチルフェニル）ベンゾトリアゾール、２−（２−ヒドロキシ−５−第３オクチルフェニル）ベンゾトリアゾール等のベンゾトリアゾール系化合物；フェニルサリチレート、ｐ−オクチルフェニルサリチレート等のサリチル酸エステル系化合物が挙げられる。光安定剤の具体例としては、ヒンダ−ドアミン系化合物が挙げられる。酸化防止剤の具体例としては、ヒンダ−ドフェノール系化合物やホスファイト系化合物が挙げられる。紫外線吸収剤、光安定剤、酸化防止剤は、本発明の目的及び効果を損なわない範囲の量で使用すればよい。
【００２９】
本発明の受光面側封止シート及び裏面側封止シートの厚みは、好ましくは１００μｍ〜２.０ｍｍである。
【００３０】
太陽電池封止シートの製造方法は、特に限定されない。例えば樹脂材料を押出成形、カレンダ成形等によりシート状に加工して樹脂シートを得る事が出来る。なお、裏面側封止シートの場合は通常は着色剤を含むので、先に述べたようなマスターバッチを含む樹脂組成物を溶融混錬し、押出成形する方法が特に好ましい。受光面側封止シートは、透明性が要求されるので通常は着色剤は含有しない。
【００３１】
本発明の太陽電池モジュールは、受光側保護部材（表面側透明保護部材等）と、受光面側封止シート（本発明の太陽電池封止シートの受光面側封止シート）と、発電素子と、裏面側封止シート（本発明の太陽電池封止シートの裏面側封止シート）と、裏面側保護部材（バックシート）とをこの順に積層してなる。
【００３２】
受光面側保護部材としては、耐久性や透明性の点から、通常はガラス材が用いられる。裏面側保護部材としては、樹脂シートやガラス材が用いられるが、特にポリエチレンテレフタレート（ＰＥＴ）系樹脂シートが好ましい。
【００３３】
太陽電池モジュールは、受光側保護部材（表面側透明保護部材等）と、受光面側封止シート（本発明の太陽電池封止シートの受光面側封止シート）と、発電素子と、裏面側封止シート（本発明の太陽電池封止シートの裏面側封止シート）と、裏面側保護部材（バックシート）とをこの順に重ね加熱圧着して積層体を得る工程により製造できる。その具体的な製造条件は特に限定されず、公知の方法に従えばよい。加熱圧着の温度は、好ましくは１２０〜１７０℃である。また加熱時はまず一定時間真空に保持し、その後加圧してラミネートすることが好ましい。
【実施例】
【００３４】
以下、実施例により本発明を更に詳細に説明する。以下の記載において、特記の無い限り「部」は「質量部」、「％」は「質量％」を意味する。また重合体の各物性は、以下の方法により測定した。【００３５】
（１）融解ピーク温度：
示差走査型熱量測定装置（株式会社パーキンエルマージャパン社製、商品名ＤＳＣ８０００）を用い、約５ｍｇの試料を、０℃〜２００℃までを３２０℃／ｍｉｎで昇温し、２００℃で５分間保持し、２００℃〜０℃までを１０℃／ｍｉｎで降温し、０℃でさらに５分間保持し、次いで１０℃／ｍｉｎで昇温する際の吸熱曲線を求め、その溶融ピークの頂点を融解ピーク温度とした。なお、複数のピークが検出される場合は、最も高温側で検出されるピークを融解ピーク温度とする。【００３６】
（２）密度：
ＡＳＴＭ  Ｄ１５０５に準拠して測定した。【００３７】
（３）メルトフローレート（ＭＦＲ）：
ＡＳＴＭ  Ｄ１２３８に準拠し、１９０℃、２.１６ｋｇ荷重の条件で測定した。【００３８】
（４）ショアＡ硬度：
ＡＳＴＭ  Ｄ２２４０に準拠して測定した。【００３９】
＜合成例１：エチレン系重合体（ＰＥ−１）の合成＞
特開２０１１−１２２４３号公報記載の方法にて、メタロセン触媒であるジメチルシリレンビス（３−メチルシクロペンタジエニル）ジルコニウムジクロリドを用いて、１−ヘキセンとエチレンからなる予備重合触媒を得た。【００４０】
これとは別に、充分に窒素置換した内容積２リットルのステンレス製オートクレーブに、脱水精製したヘキサンを８３０ミリリットル装入し、系内をエチレンと水素の混合ガス（水素含量０.７ｍｏｌ％）で置換した。次いで系内を６０℃とし、トリイソブチルアルミニウム１.５ｍｍｏｌ、１−ヘキセン１７９ｍｌ、及び上記調製した予備重合触媒をジルコニウム原子換算で０.０１５ｍｇ原子となるように添加した。【００４１】
その後、上記と同様の組成を有するエチレンと水素の混合ガスを導入し、全圧３ＭＰａＧとして重合を開始した。さらに混合ガスのみを補給し、全圧を３ＭＰａＧに保ち、７０℃で１.５時間重合を行った。重合終了後、得られたポリマーを濾過し、８０℃で１晩乾燥し、パウダー状のエチレン系重合体（ＰＥ−１）を１０５ｇ得た。このエチレン系重合体（ＰＥ−１）の密度は９１０ｋｇ／ｍ3、融解ピーク温度は１０９℃、ＭＦＲは１０ｇ／１０分（１９０℃）であった。【００４２】
＜実施例１＞
（受光面側封止シートの製造）
エチレン・酢酸ビニル共重合体（酢酸ビニル含量２８％、融解ピーク温度７１℃、ＭＦＲ１５ｇ／１０分（１９０℃））１００部に、２,５−ジメチル−２,５−ビス（ｔ−ブチルパーオキシ）ヘキサン０.１部、ｔ−ブチルパーオキシ−２−エチルヘキシルカーボネート０.４部及びトリアリルイソシアヌレート１.０部を配合して樹脂組成物を得た。この樹脂組成物をＴダイ付押出機にて押し出し、厚さ約４５０μｍの樹脂シート（受光面側封止シート）を成形した。【００４３】
（裏面側封止シートの製造）
合成例１で得たエチレン系重合体（ＰＥ−１）１００部に、ビニルトリメトキシシラン１.０部、２,５-ジメチル-２,５-ジ（ｔ-ブチルパーオキシ）ヘキサン０.０２部、及び、着色剤として二酸化チタンを含むマスターバッチ（二酸化チタン濃度５０％）６部を配合して樹脂組成物を得た。この樹脂組成物をＴダイ付押出機にて押し出し、厚さ約４５０μｍの樹脂シート（裏面側封止シート）を成形した。【００４４】
（太陽電池モジュールの作製）
以上の各封止シートを用いて、３.２ｍｍ厚のガラス、受光面側封止シート、太陽電池セル、裏面側封止シート、ＰＥＴ系バックシート（裏面側保護部材）をこの順に積層し、真空ラミネーターを用いて１６５℃、真空５分、加圧１５分の条件にてラミネートして、太陽電池モジュールを作製した。この太陽電池モジュールの裏面側封止シートが太陽電池セルの受光面上やバスバー電極上に着色剤が回り込んでいるかどうか、ガラスを介して目視で確認したところ、回り込みは全く見られなかった。【００４５】
＜実施例２＞
（受光面側封止シートの製造）
エチレン・ブテン共重合体（三井化学製 商品名タフマーＡ４０８５、融解ピーク温度７２℃、ＭＦＲ３.６ｇ／１０分（１９０℃）、密度８８５ｋｇ／ｍ3、ショアＡ硬度８４）１００部に、ｔ−ブチルパーオキシ−２−エチルヘキシルカーボネート１部及びトリアリルイソシアヌレート１部を配合した樹脂組成物を用いたこと以外は、実施例１と同様にして厚さ約４５０μｍの受光面側封止シートを成形した。【００４６】
（裏面側封止シートの製造）
実施例１と同様にして厚さ約４５０μｍの裏面側封止シートを成形した。【００４７】
（太陽電池モジュールの作製）
以上の各封止シートを用いて実施例１と同様にして太陽電池モジュールを作製した。ガラスを介して目視で確認したところ、着色剤の回り込みは全く見られなかった。【００４８】
＜実施例３＞
（受光面側封止シートの製造）
エチレン・プロピレン共重合体（三井化学製 商品名タフマーＰ０２７５、融解ピーク温度３０℃、ＭＦＲ２.５ｇ／１０分（１９０℃）、密度８７５ｋｇ／ｍ3、ショアＡ硬度５６）１００部に、ｔ−ブチルパーオキシ−２−エチルヘキシルカーボネート１部及びトリアリルイソシアヌレート１部を配合した樹脂組成物を用いたこと以外は、実施例１と同様にして厚さ約４５０μｍの受光面側封止シートを成形した。【００４９】
（裏面側封止シートの製造）
実施例１と同様にして厚さ約４５０μｍの裏面側封止シートを成形した。【００５０】
（太陽電池モジュールの作製）
以上の各封止シートを用いて実施例１と同様にして太陽電池モジュールを作製した。ガラスを介して目視で確認したところ、着色剤の回り込みは全く見られなかった。【００５１】
＜比較例１＞
（受光面側封止シートの製造）
実施例１と同様にして厚さ約４５０μｍの受光面側封止シートを成形した。【００５２】
（裏面側封止シートの製造）
エチレン・酢酸ビニル共重合体（酢酸ビニル含量２８％、融解ピーク温度７１℃、ＭＦＲ１５ｇ／１０分（１９０℃））１００部に、２,５−ジメチル−２,５−ビス（ｔ−ブチルパーオキシ）ヘキサン１.５部、トリアリルイソシアヌレート１.０部、及び、着色剤として二酸化チタンを含むマスターバッチ（二酸化チタン濃度５０％）６部を配合した樹脂組成物を用いたこと以外は、実施例１と同様にして厚さ約４５０μｍの裏面側封止シートを成形した。【００５３】
（太陽電池モジュールの作製）
以上の各封止シートを用いて実施例１と同様にして太陽電池モジュールを作製した。ガラスを介して目視で確認したところ、太陽電池セルの受光面上及びバスバー電極上に着色剤が回り込んでいた。【００５４】
＜比較例２＞
（受光面側封止シートの製造）
実施例２と同様にして厚さ約４５０μｍの受光面側封止シートを成形した。【００５５】
（裏面側封止シートの製造）
比較例１と同様にして厚さ約４５０μｍの裏面側封止シートを成形した。【００５６】
（太陽電池モジュールの作製）
以上の各封止シートを用いて実施例１と同様にして太陽電池モジュールを作製した。ガラスを介して目視で確認したところ、太陽電池セルの受光面上及びバスバー電極上に着色剤が回り込んでいた。【００５７】
以上説明した実施例１〜３、比較例１及び２の結果から、裏面側封止シートとして融解ピーク温度が高く溶融流動しにくい樹脂シートを使用することで、着色剤を含む裏面側封止シートが太陽電池セル上に回り込むことを防止できることが分かる。したがって、本発明によれば特性を低下させることなく、太陽電池モジュールを良好に製造できる。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
太陽電池モジュールの発電素子に対する受光面側封止シートと裏面側封止シートとからなる一対の太陽電池封止シートであって、
前記裏面側封止シートの示差走査型熱量測定（ＤＳＣ）に基づく融解ピーク温度が、前記受光面側封止シートの示差走査型熱量測定（ＤＳＣ）に基づく融解ピーク温度よりも高く、
前記裏面側封止シートが、ＡＳＴＭ  Ｄ１５０５に準拠して測定される密度が９００〜９４０ｋｇ／ｍ3、ＤＳＣに基づく融解ピーク温度が９０〜１２５℃であるエチレン・α−オレフィン共重合体をエチレン性不飽和シラン化合物により変性して得られるエチレン系重合体と、着色剤とを含み、
前記エチレン・α−オレフィン共重合体のエチレンに由来する構成単位の含有割合が９０〜９８ｍｏｌ％であり、α−オレフィンに由来する構成単位の含有割合が２〜１０ｍｏｌ％である事を特徴とする太陽電池封止シート。
【請求項２】
前記受光面側封止シートのＤＳＣに基づく融解ピーク温度が９０℃未満である請求項１記載の太陽電池封止シート。
【請求項３】
前記受光面側封止シートが、１）ＡＳＴＭ  Ｄ１５０５に準拠して測定される密度が８６０〜９００ｋｇ／ｍ3未満であり、ＤＳＣに基づく融解ピーク温度が９０℃未満であるエチレン系重合体、又は、２）酢酸ビニル含量が１０〜４７質量％であり、ＤＳＣに基づく融解ピーク温度が９０℃未満であるエチレン−酢酸ビニル共重合体、を含む請求項１記載の太陽電池封止シート。
【請求項４】
前記１）のエチレン系重合体が、以下の要件ａ１）〜ａ４）の何れか又は全てを満たすエチレン・α−オレフィン共重合体である請求項３記載の太陽電池封止シート。
ａ１）エチレンに由来する構成単位の含有割合が８０〜９０ｍｏｌ％、炭素原子数３〜２０のα−オレフィン（例えばプロピレン、ブテン、ペンテン等）に由来する構成単位の含有割合が１０〜２０ｍｏｌ％である。
ａ２）ＡＳＴＭ  Ｄ１２３８に準拠し、１９０℃、２.１６ｋｇ荷重の条件で測定されるメルトフローレート（ＭＦＲ）が１０〜５０ｇ／１０分である。
ａ３）ＡＳＴＭ  Ｄ１５０５に準拠して測定される密度が０.８６５〜０.８８４ｇ／ｃｍ３である。
ａ４）ＡＳＴＭ  Ｄ２２４０に準拠して測定されるショアＡ硬度が６０〜８５である。
【請求項５】
前記２）のエチレン−酢酸ビニル共重合体のＡＳＴＭ  Ｄ１２３８に準拠し、１９０℃、２.１６ｋｇ荷重の条件で測定されるメルトフローレート（ＭＦＲ）が、１０〜３５ｇ／１０分である請求項３記載の太陽電池封止シート。
【請求項６】
受光側保護部材と、受光面側封止シートと、発電素子と、裏面側封止シートと、裏面側保護部材とをこの順に積層してなる太陽電池モジュールであって、
前記受光面側封止シート及び前記裏面側封止シートが、請求項１〜５のいずれか一項に記載の太陽電池封止シートの受光面側封止シート及び裏面側封止シートである事を特徴とする太陽電池モジュール。
【請求項７】
受光側保護部材と、受光面側封止シートと、発電素子と、裏面側封止シートと、裏面側保護部材とをこの順に重ねて、加熱圧着して積層体を得る工程を有する太陽電池モジュールの製造方法であって、
前記受光面側封止シート及び前記裏面側封止シートが、請求項１〜５のいずれか一項に記載の太陽電池封止シートの受光面側封止シート及び裏面側封止シートである事を特徴とする太陽電池モジュールの製造方法。
【手続補正２】
【補正対象書類名】明細書
【補正対象項目名】０００９
【補正方法】変更
【補正の内容】
【０００９】
本発明は、太陽電池モジュールの発電素子に対する受光面側封止シートと裏面側封止シートとからなる一対の太陽電池封止シートであって、前記裏面側封止シートの示差走査型熱量測定（ＤＳＣ）に基づく融解ピーク温度が、前記受光面側封止シートの示差走査型熱量測定（ＤＳＣ）に基づく融解ピーク温度よりも高く、前記裏面側封止シートが、ＡＳＴＭ  Ｄ１５０５に準拠して測定される密度が９００〜９４０ｋｇ／ｍ3、ＤＳＣに基づく融解ピーク温度が９０〜１２５℃であるエチレン・α−オレフィン共重合体をエチレン性不飽和シラン化合物により変性して得られるエチレン系重合体と、着色剤とを含み、前記エチレン・α−オレフィン共重合体のエチレンに由来する構成単位の含有割合が９０〜９８ｍｏｌ％であり、α−オレフィンに由来する構成単位の含有割合が２〜１０ｍｏｌ％である事を特徴とする太陽電池封止シートである。
【国際調査報告】
2014003046.tif 000002
2014003046.tif 000003